(57)【要約】      （修正有）【課題】１人ではできない背中を掻く、薬を塗る、薬剤を貼る事を人の手を借りずに簡単に出来る収納装置を提供する。【解決手段】壁面に固定される収容装置本体と、両面上下に設けられたマグネット５によって収容装置本体に固定される固定板６と、を有し、固定板には、四隅に指を入れるための切り欠きが設けられるとともに、両面のうち一方の面には背を掻くブラシ面２が設けられ、他方の面には薬剤を塗る又は貼るためのジェル面３が設けられている。【選択図】図２
0003203983.tif 000002
【実用新案登録請求の範囲】
【請求項１】
壁面があれば、どこでも固定ができ、人の手を借りずに背中の届きにくい個所を処置することができる
箱（収納室）に、背を掻くブラシ面と、塗り薬、湿布薬等が貼る事も出来る面があり、それをマグネット固定のため、ひっ切り返すことにより簡単に一人で掻く、貼る、塗る作業がいつでも行う事が出来る特徴を併せ持ち、かつ、開閉自由に出来、マグネットシートを使うことで剥がして、洗浄の衛生面も考慮した。
【考案の詳細な説明】
【技術分野】
【０００１】壁面固定式で、背中を掻く、貼る、塗る機能を設けたもの。
【背景技術】
【０００２】一人では、背中を掻いたり、貼ったり、塗ったり出来ないでいた。
【考案の概要】
【考案が解決しようとする課題】
【０００３】一人住まい、単身者が多く、痒いところに手が届かない状態が、人の手を借りるしかなかったが、この、掻く、貼る、塗るを１人で行えてしまう機能が簡単に出来てしまう。
【課題を解決するための手段】
【０００４】本考案は、自分の背中の位置に合わせて、本体を壁に設置し、装置は、本体にマグネットで固定され、表に、ブラシ状の掻く機能を、裏面に貼る、塗る機能を、それぞれ有し手掛けから容易に入れ替えが可能となっている。また、薬剤がついても機能部が、マグネットシートで固定されているため、洗浄も簡単に出来る。
【考案の効果】
【０００５】上述の様に、本考案は、届きにくい背中面が、背中を押しあてるだけでいつでも一人で、掻く、貼る、塗るが出来る。
【図面の簡単な説明】
【０００６】
【図１】本考案の正面図、
【図２】（通常時、解放時、ひっくり返した時の）断面図
【考案を実施するための形態】
【０００７】    通常時は、ケース本体は、外観が▲１▼ミラーとなっております。▲６▼上部手掛けを手前に下げると▲８▼の丁番で蓋が下に降り中の機能が出てきます。▲２▼のブラシ状は、掻くときに使用し、上下共脱落防止の▲４▼マグネットで固定され、貼る、塗る時は、▲２▼を▲７▼から指を入れひっくり返し、また▲４▼マグネットでされる。そうすると▲３▼のジェル面が出てきて
塗る場合は、薬剤を付け、背中をこすり付ける、貼る場合は、シート薬剤を▲２▼の面に固定し患部に背中を付け接着させることができる。
この、▲２▼と▲３▼は、シートで固定されており剥がすことにより本体▲５▼から離脱し、容易に洗浄が行える。使用完了時は、また最初の▲６▼手掛けを持ち上にあげ、蓋閉めれば、最初の状態に戻ります。
【実施例】
【０００８】以下添付図面に従って‐実施例を説明する。本体と▲５▼は強化プラスチック等適宣素材にて一体化形成されている。▲１▼を開放することにより、▲２▼、▲３▼が出てくる、これをひっくり返すときは、▲７▼に指を入れ逆面にし▲４▼にて再固定をする。これは、使用目的により入れ替える。
また、衛生面からも▲５▼本体から▲２▼，▲３▼がそれぞれ脱着でき、洗浄することができるようになっている。
【符号の説明】
【０００９】▲１▼  ミラー
▲２▼  ブラシ（掻く）
▲３▼  ジェル状シート（貼る、塗る）
▲４▼  マグネット
▲５▼  固定板
▲６▼  手掛け
▲７▼  四方取外し指入れ
▲８▼  丁番
【図１】
0003203983.tif 000003
【図２】
0003203983.tif 000004
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
ボックス型壁面収納装置固定式で壁面があれば、どこでも簡単に壁固定ができ、人の手を借りずに背中の届きにくい個所を背中をこすりつけることで処置することができ、収納装置には、表面の背を掻くブラシ面と、裏面には塗り薬、又は、湿布薬等が同時に貼る事も出来る面が表、裏面にあり、裏面の上部に塗薬塗布できる凹凸面、湿布薬貼面は、吸着ジェルシートが下部にそれぞれに、配置され箱本体と、固定されるプレート装置の上下、左右の四隅にマグネット、を配置し、固定板の四隅に指を入れるための切り欠きが設けられているとともに、ひっ切り返すことにより簡単に一人で掻く、貼る、塗る作業がいつでも一人で行え、ブラシ面と薬剤面が脱着自在に固定される特徴を併せ持つ収納装置。
【手続補正２】
【補正対象書類名】明細書
【補正対象項目名】全文
【補正方法】変更
【補正の内容】
【考案の詳細な説明】
【技術分野】
【０００１】壁面固定式で、背中を掻く、貼る、塗る機能を設けた収納装置。
【背景技術】
【０００２】一人では、背中を掻いたり、貼ったり、塗ったり出来ないでいた。
【考案の概要】
【考案が解決しようとする課題】
【０００３】一人住まい、単身者が多く、痒いところに手が届かない状態が、人の手を借りるしかなかったが、この、掻く、貼る、塗るを１人で行えてしまう機能が簡単に出来てしまう。
【課題を解決するための手段】
【０００４】本考案は、自分の背中の位置に合わせて、本体を壁に設置し、収納装置と機能面の表面ブラシ面と、裏面薬剤面との二面装置をひっくり返すことにより本体マグネットで固定され、表に、ブラシ状の掻く機能を、裏面に貼る、塗る機能を、それぞれ有し四隅の手掛けから容易に表、裏面への入れ替えが可能となっている。また、薬剤がついても機能部がマグネットから外すことにより、洗浄も簡単にできるようになっている。
【考案の効果】
【０００５】上述の様に、本考案は、届きにくい背中面が、背中を押しあてるだけでいつでも一人で、掻く、貼る、塗るが出来る。
【図面の簡単な説明】
【０００６】
【図１】本考案の正面図、
【図２】（通常時、解放時、ひっくり返した時の）断面図
【考案を実施するための形態】
【０００７】    通常時収納装置本体は、外観が１ミラーとなっており９上部手掛けを手前に下げると８の丁番で蓋が下に降り中の機能が出て、表面２のブラシ状は、掻くときに使用し、上下共脱落防止の５マグネットで固定され、裏面の貼る、塗る時は、２を７から指を入れひっくり返し、また５マグネットで固定され３のジェル面が出てきて、塗る場合は、４に薬剤を付け、背中をこすり付け貼る場合は、シート薬剤を３ジェル状シート上部で湿布薬等を３の面に固定し患部に背中を付け接着させることができ、この、２と３は、５のマグネットで固定されており剥がすことにより本体１０から離脱し、容易に洗浄が行え使用完了時は、また最初の９の手掛けを持ち上にあげ、蓋閉めれば、最初の状態に戻る収納装置。
【実施例】
【０００８】以下添付図面に従って‐実施例を説明する。１０収納装置本体と２と３は強化プラスチック等適宣素材にて一体化形成されて１を開放することにより、２，３、４が出て、これをひっくり返すときは、７に指を入れ逆面にし５にて再固定をし、これは、使用目的により入れ替えが出来、また、衛生面からも１０本体から２，３がそれぞれ脱着でき、洗浄することができるようになっている収納装置。
【符号の説明】
【０００９】１  ミラー
２  ブラシ（掻く面）
３  ジェル状シート（貼る面）
４  ジェル状凹凸シート（塗る面）
５  マグネット
６  固定板
７  四方取外し指入れ
８  丁番
９  手掛け
１０  収納装置
【手続補正３】
【補正対象書類名】図面
【補正対象項目名】全図
【補正方法】変更
【補正の内容】
【図１】
0003203983.tif 000005
【図２】
0003203983.tif 000006
【手続補正書】
【提出日】平成28年1月28日(2016.1.28)
【手続補正１】
【補正対象書類名】実用新案登録請求の範囲
【補正対象項目名】全文
【補正方法】変更
【補正の内容】
【実用新案登録請求の範囲】
【請求項１】
壁面に固定される収容装置本体と、両面の上下に設けられたマグネットによって前記収容装置本体に固定される固定板と、を有し、
前記固定板は、その四隅に指を入れるための切り欠きが設けられるとともに、当該両面のうち一方の面には背を掻くブラシ面が設けられ、他方の面には薬剤を塗る又は貼るためのジェル面が設けられている
ことを特徴とする収容装置。
【手続補正２】
【補正対象書類名】明細書
【補正対象項目名】全文
【補正方法】変更
【補正の内容】
【考案の詳細な説明】
【技術分野】
【０００１】
壁面固定式で、背中を掻く、貼る、塗る機能を設けた収容装置。
【背景技術】
【０００２】
一人では、背中を掻いたり、貼ったり、塗ったり出来ないでいた。
【考案の概要】
【考案が解決しようとする課題】
【０００３】
一人住まい、単身者が多く、痒いところに手が届かない状態が、人の手を借りるしかなかったが、この、掻く、貼る、塗るを１人で行えてしまう機能が簡単に出来てしまう。
【課題を解決するための手段】
【０００４】
本考案は、壁面に固定される収容装置本体と、両面の上下に設けられたマグネットによって前記収容装置本体に固定される固定板と、を有し、前記固定板は、その四隅に指を入れるための切り欠きが設けられるとともに、当該両面のうち一方の面には背を掻くブラシ面が設けられ、他方の面には薬剤を塗る又は貼るためのジェル面が設けられていることを特徴とする収容装置である。
【考案の効果】
【０００５】
本考案は、自分の背中の位置に合わせて、収容装置本体を壁に設置し、固定板は、収容装置本体にマグネットで固定され、当該両面のうち一方の面には背を掻くブラシ面が設けられ、他方の面には薬剤を塗る又は貼るためのジェル面が設けられ、容易にブラシ面とジェル面が入れ替えが可能となっている。このように、届きにくい背中面が、背中を押しあてるだけでいつでも一人で、掻く、貼る、塗るが出来る。
【図面の簡単な説明】
【０００６】
【図１】本考案の正面図
【図２】断面図
【考案を実施するための形態】
【０００７】
通常時は、ケース本体（収容装置本体）は、外観がミラー１となっております。上部手掛け９を手前に下げると丁番８で蓋が下に降り中の機能が出てきます。ブラシ面２は、掻くときに使用し、上下共脱落防止のマグネット５で固定され、貼る、塗る時は、ブラシ面２を取り外し指入れ穴（切り欠き）７から指を入れひっくり返し、またマグネット５で固定される。そうするとジェル面３が出てきて塗る場合は、薬剤を付け、背中をこすり付ける。貼る場合は、シート薬剤をジェル面３に固定し患部に背中を付け接着させることができる。この、ブラシ面２とジェル面３は、シートで固定されており剥がすことにより固定板６から離脱し、容易に洗浄が行える。使用完了時は、また最初の手掛け９を持ち上にあげ、蓋閉めれば、最初の状態に戻ります。
【実施例】
【０００８】
以下添付図面に従って-実施例を説明する。固定板６とマグネット５は強化プラスチック等適宣素材にて一体化形成されている。ミラー１を開放することにより、ブラシ面２、ジェル面３が出てくる、これをひっくり返すときは、取り外し指入れ穴７に指を入れ逆面にしマグネット５にて再固定をする。これは、使用目的により入れ替える。また、衛生面からも固定板６からブラシ面２、ジェル面３がそれぞれ脱着でき、洗浄することができるようになっている。
【符号の説明】
【０００９】
１  ミラー
２  ブラシ面（掻く面）
３  ジェル面（貼る、塗る面）
５  マグネット
６  固定板
７  四方取外し指入れ（切り欠き）
８  丁番
９  手掛け
【手続補正３】
【補正対象書類名】図面
【補正対象項目名】全図
【補正方法】変更
【補正の内容】
【図１】
0003203983.tif 000007
【図２】
0003203983.tif 000008